(57)【要約】      （修正有）【課題】電子掲示板の記事を柔軟に整理できるようにする。【解決手段】リンク情報管理部１１０が、掲示板と記事の関係、記事と記事の関係、記事と添付文書の関係、ユーザーと掲示板の関係、ユーザーと記事の関係を管理する。システム管理情報処理部１０１は、クライアントからの要求に応じて、リンク情報を追加、削除（無効化）して、記事または記事のツリーの移動、コピー、削除、登録場所の追加、削除を行う。【選択図】図１
2006024145.tif 000002
【特許請求の範囲】
【請求項１】
電子掲示板と記事との間の親子関係または記事と記事との間の親子関係を記述する親子関係情報を記憶する親子関係情報記憶手段と、
新たな記事を受け付ける新規記事受付手段と、
新規記事受付手段で受け付けた記事と、対応する既存の電子掲示板または既存の記事との間の親子関係を記述する親子関係情報を生成して上記親子関係情報記憶手段に追加書き込みする新規記事親子関係追加手段と、
既存の電子掲示板または記事と既存の記事との間の新たな親子関係を記述する親子関係情報を生成して上記親子関係情報記憶手段に追加書き込みする既存記事親子関係追加手段と、
既存の電子掲示板または記事と既存の記事との間の既存の親子関係を記述する親子関係情報を上記親子関係情報記憶手段において無効にする既存記事親子関係無効化手段とを実現するためにコンピュータにより実行されることを特徴とする電子掲示板用コンピュータプログラム。
【請求項２】
電子掲示板が複数設けられている請求項１記載の電子掲示板用コンピュータプログラム。
【請求項３】
電子掲示板の所定の記事に続く記事ツリーを所定の他の記事の後に移動させる移動要求入力手段をさらに有し、上記移動要求入力手段の指定に基づいて上記既存記事親子関係無効化手段により上記所定の記事に続く記事ツリーの記述する親子関係情報を無効化し、上記既存記事親子関係追加手段により上記所定の他の記事の後に上記所定の記事に続く記事ツリーを繋げるように親子関係情報を追加する請求項１または２記載の電子掲示板用コンピュータプログラム。
【請求項４】
電子掲示板の所定の記事以降の記事ツリーを所定の他の記事の後にコピーするコピー要求入力手段をさらに有し、上記コピー要求入力手段の指定に基づいて上記所定の記事以降の記事ツリーをなす記事のコピーを生成し、コピーの間の親子関係を生成し、上記既存記事親子関係追加手段により、上記所定の他の記事を親とし上記所定の記事のコピーを子とする親子関係情報を追加する請求項１、２または３記載の電子掲示板用コンピュータプログラム。
【請求項５】
電子掲示板の所定の記事以降の記事ツリーに対して、所定の他の記事の直後を登録先と追加する登録先追加要求入力手段をさらに有し、上記登録先追加要求入力手段の指定に基づいて上記既存記事親子関係追加手段により上記所定の他の記事を親とし上記所定の記事を子とする親子関係情報を追加する請求項１、２、３または４記載の電子掲示板用コンピュータプログラム。
【請求項６】
電子掲示板の所定の記事以降の記事ツリーを削除する削除要求入力手段をさらに有し、上記削除要求入力手段の指定に基づいて上記既存記事親子関係無効化手段により少なくとも上記所定の記事を子とする親子関係情報を無効化する請求項１、２、３、４または５記載の電子掲示板用コンピュータプログラム。
【請求項７】
電子掲示板と記事との間の親子関係または記事と記事との間の親子関係を記述する親子関係情報を記憶する親子関係情報記憶手段と、
新たな記事を受け付ける新規記事受付手段と、
新規記事受付手段で受け付けた記事と、対応する既存の電子掲示板または既存の記事との間の親子関係を記述する親子関係情報を生成して上記親子関係情報記憶手段に追加書き込みする新規記事親子関係追加手段と、
既存の電子掲示板または記事と既存の記事との間の新たな親子関係を記述する親子関係情報を生成して上記親子関係情報記憶手段に追加書き込みする既存記事親子関係追加手段と、
既存の電子掲示板または記事と既存の記事との間の既存の親子関係を記述する親子関係情報を上記親子関係情報記憶手段において無効にする既存記事親子関係無効化手段とを有することを特徴とする電子掲示板処理装置。
【請求項８】
親子関係情報記憶手段に電子掲示板と記事との間の親子関係または記事と記事との間の親子関係を記述する親子関係情報を記憶するステップと、
新規記事受付手段により新たな記事を受け付けるステップと、
新規記事親子関係追加手段により新規記事受付手段で受け付けた記事と、対応する既存の電子掲示板または既存の記事との間の親子関係を記述する親子関係情報を生成して上記親子関係情報記憶手段に追加書き込みするステップと、
既存記事親子関係追加手段により既存の電子掲示板または記事と既存の記事との間の新たな親子関係を記述する親子関係情報を生成して上記親子関係情報記憶手段に追加書き込みするステップと、
既存記事親子関係無効化手段により既存の電子掲示板または記事と既存の記事との間の既存の親子関係を記述する親子関係情報を上記親子関係情報記憶手段において無効化するステップとを有することを特徴とする電子掲示板処理方法。
【発明の詳細な説明】
【技術分野】
【０００１】
この発明は、電子掲示板システムにおいて、記事の整理を柔軟に行う技術に関する。
【背景技術】
【０００２】
知識、情報を共有化するために電子掲示板システム（以下では、電子掲示板、電子掲示板処理装置ともいう）が広く用いられている。電子掲示板システムは、電子メールやウェブベースで投稿された記事を公開する情報処理システムであり、通常、投稿記事およびこれに対する返信記事により記事のツリー（以下、スレッドともいう）が構成される。図１は、電子掲示板Ａ、Ｂを例に示しており、例えば、電子掲示板Ａでは複数の記事からそれぞれスレッドａ、ｂが構成されている。電子掲示板Ｂでも２つのスレッドが示されている。
【０００３】
新たな話題についてコミュニケーションを開始したいユーザーは、返信でなく新規に記事を投稿する（スレッドを立ち上げる）。この記事またはこの記事への返信記事に返信することによりスレッドが形成されていく。ユーザーは、スレッド内の記事のタイトル等をクリックしてその記事内容を閲覧でき、添付文書がある場合にはそれを閲覧することも可能である。スレッド単位で話題が絞り込まれ特定の知識、情報を有効に共有化できる。
【０００４】
ところで、電子掲示板の間で公開内容を流用し合えれば極めて便利である。例えば、ユーザーが２つの異なる課題解決のためには２つの電子掲示板を構築、または参加している場合に、一方の電子掲示板の一部の記事または記事グループが他方の課題解決のために有効な場合には、これを他方の電子掲示板にも含ませて、当該他方の電子掲示板に参加している者にも知らせることが好ましい。電子掲示板の記事を、とくに他の電子掲示板との間で、柔軟に整理できるようにすることが望まれる。
【０００５】
なお、この発明と関連する特許文献には以下のものがある。
【０００６】
特許文献１（特開２００２−２６８８８４公報）は、公開されている電子掲示板上の記事を、ユーザー毎の記憶領域にコピーする技術を提案している。この特許文献１では、１つの話題に関する記事のツリー（スレッド）を考慮しておらず、また、ユーザー毎の記事の整理であって、掲示板全体の記事の整理をすることはできない。
また特許文献２（特開２００３−０３０１０３公報）は、電子掲示板上の記事をスレッド単位で移動して、掲示板の統合・分割をする技術を提案している。この特許文献２では、移動だけで、コピーや登録場所の追加は考慮しておらず、元の掲示板はそのままにして、有用な記事だけ集めた掲示板を新たに作成することはできない。また、スレッドの部分ツリーの移動を考慮しておらず、途中から話題がずれてしまったスレッドを分割することもできない。
【特許文献１】特開２００２−２６８８８４公報
【特許文献２】特開２００３−０３０１０３公報
【発明の開示】
【発明が解決しようとする課題】
【０００７】
この発明は、以上の事情を考慮してなされたものであり、電子掲示板システムにおいて記事を柔軟に整理できるようにすることを目的にしている。
【課題を解決するための手段】
【０００８】
この発明の構成例によれば、上述の目的を達成するために、リンク情報管理部が、掲示板と記事の関係、記事と記事の関係、記事と添付文書の関係、ユーザーと掲示板の関係、ユーザーと記事の関係（リンク情報。親子関係情報ともいう）を管理する。システム情報処理部は、クライアントからの要求に応じて、リンク情報を追加、削除（無効化）して、記事または記事のツリーの移動、コピー、削除、登録場所の追加、削除を行う。
【０００９】
この構成においては、ユーザーは電子掲示板上の記事を、スレッド全体または部分ツリー単位で、移動、コピー、削除、登録場所の追加、削除できるようになり、電子掲示板上の記事を柔軟に整理し、掲示板の中に埋もれていた知識を顕在化させ易くすることが可能となる。アクセス権の追加、削除を行えるようにしても良い。
【００１０】
さらにこの発明を説明する。ここでは、説明の便宜上後述の実施例で用いる参照符号を付すが、これは何ら発明の構成を限定する意図を伴うものではない。
【００１１】
この発明の一側面によれば、上述の目的を達成するために、電子掲示板処理装置（１０）に：電子掲示板と記事との間の親子関係または記事と記事との間の親子関係を記述する親子関係情報を記憶する親子関係情報記憶手段（１１０）と；新たな記事を受け付ける新規記事受付手段（１５１）と；新規記事受付手段で受け付けた記事と、対応する既存の電子掲示板または既存の記事との間の親子関係を記述する親子関係情報を生成して上記親子関係情報記憶手段に追加書き込みする新規記事親子関係追加手段（１５６）と；既存の電子掲示板または記事と既存の記事との間の新たな親子関係を記述する親子関係情報を生成して上記親子関係情報記憶手段に追加書き込みする既存記事親子関係追加手段（１５７）と；既存の電子掲示板または記事と既存の記事との間の既存の親子関係を記述する親子関係情報を上記親子関係情報記憶手段において無効にする既存記事親子関係無効化手段（１５９）とを設けるようにしている。
【００１２】
この構成においては、親子関係情報（リンク情報）を操作することにより記事単位、部分ツリー単位で移動、コピー、削除、登録先追加、削除を行うことができる。
【００１３】
電子掲示板が複数設けられている場合には、記事単位、部分ツリー単位で移動、コピー、登録先追加を異なる電子掲示板の間で行うことができる。
【００１４】
この構成においては、電子掲示板の所定の記事に続く記事ツリーを所定の他の記事の後に移動させる移動要求入力手段を用い、記既存記事親子関係無効化手段により上記所定の記事に続く記事ツリーの記述する親子関係情報を無効化し、上記既存記事親子関係追加手段により上記所定の他の記事の後に上記所定の記事に続く記事ツリーを繋げるように親子関係情報を追加することができる。
【００１５】
また、電子掲示板の所定の記事以降の記事ツリーを所定の他の記事の後にコピーするコピー要求入力手段を用いてこれらの複製を作成できる。すなわち、上記所定の記事以降の記事ツリーをなす記事のコピーを生成し、コピーの間の親子関係を生成し、上記既存記事親子関係追加手段により、上記所定の他の記事を親とし上記所定の記事のコピーを子とする親子関係情報を追加することができる。
【００１６】
また、電子掲示板の所定の記事以降の記事ツリーに対して、所定の他の記事の直後を登録先と追加する登録先追加要求入力手段を用い、上記既存記事親子関係追加手段により上記所定の他の記事を親とし記所定の記事を子とする親子関係情報を追加することができる。
【００１７】
また、電子掲示板の所定の記事以降の記事ツリーを削除する削除要求入力手段を用い、上記既存記事親子関係無効化手段により少なくとも上記所定の記事を子とする親子関係情報を無効化することができる。
【００１８】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１９】
この発明の上述の側面および他の側面は特許請求の範囲に記載され以下実施例を用いて詳述される。
【発明の効果】
【００２０】
この発明によれば、ユーザーは電子掲示板上の記事を、スレッド全体または部分ツリー単位で、移動、コピー、削除、登録場所の追加、削除できるようになり、電子掲示板上の記事を柔軟に整理し、掲示板の中に埋もれていた知識を顕在化させ易くすることが可能となる。
【発明を実施するための最良の形態】
【００２１】
以下、この発明の実施例について説明する。
【００２２】
図２は、この発明の実施例の電子掲示板システムおよびその利用環境を示しており、この図において、電子掲示板システム１０およびクライアント端末２０が通信ネットワーク３０に接続されている。通信ネットワーク３０は構内通信ネットワーク（ＬＡＮ）、広域プライベートネットワーク、インターネット等である。クライアント端末２０は、典型的にはパーソナルコンピュータであるが、携帯電話機、固定電話機、情報処理機能付の家庭電気製品等でもよい。図では１つのクライアント端末２０を例として示したが、実際は複数存在することが予定される。
【００２３】
電子掲示板システム１０は典型的には１または複数のサーバコンピュータにより実現される。電子掲示板システム１０の各機能（手段）はかかるサーバコンピュータのハードウェア資源およびソフトウェア資源により実現され、具体的にはウェブサービス、メールサービス、データ管理サービス等を行う。電子掲示板システム１０は、この発明との関係で模式的に説明すると、システム管理情報処理部１０１、クライアント要求処理部１０２、メール配信処理部１０３、リンク情報管理部１１０、掲示板情報管理部１１１、記事情報管理部１１２、添付文書情報管理部１１３、グループ情報管理部１１４、ユーザー情報管理部１１５、アクセス権情報管理部１１６等を含んで構成されている。
【００２４】
リンク情報管理部１１０は、掲示板と記事の関係、記事と記事の関係、記事と添付文書の関係、ユーザーと掲示板の関係、ユーザーと記事の関係、ユーザーと添付文書の関係、グループとグループの関係およびグループとユーザーの関係を管理する。掲示板、記事、添付文書、ユーザー、グループ等のエンテティはこの例ではオブジェクトとして管理され、これらオブジェクトの間の関係はリンク（リンクテーブル）により記述される。具体的な例では、図１２に示すように、掲示板と記事、記事と記事が親子関係のリンクＴａで記述され、掲示板や記事とユーザーが所有者の関係のリンクＴｂで記述され、メール配信先ユーザーがリンクＴｃで記述され、メール配信先掲示板リンク（記事の登録先が追加されたときに登録先の掲示板と当該記事とをリンクする）Ｔｄで記述され、アクセス権がリンクＴｅで記述されるが、これに限定されない。
【００２５】
掲示板情報管理部１１１は掲示板の属性を管理する。記事情報管理部１１２は記事の属性、内容を管理する。添付文書情報管理部１１３は添付文書の属性、内容を管理する。グループ情報管理部１１４はユーザーグループの属性を管理する。ユーザー情報管理部１１５はユーザーの属性を管理する。アクセス権情報管理部１１６は掲示板、記事等のオブジェクトに対するアクセス権情報を管理している。
【００２６】
クライアント要求処理部１０２はクライアント端末２０からの要求を処理する。システム管理情報処理部１０１は、クライアント端末２０からの要求に応じて、後に詳述するように、記事の移動、コピー、登録場所の追加・削除、アクセス権の追加・削除を行い、その操作を関係のある記事または添付文書に伝播する（図４〜図１０を参照）。さらに、移動の場合は、元の掲示板の情報を保持しておく（図４を参照）。メール配信処理部１０３は、掲示板への記事の投稿があった際に、掲示板に設定されたメール配信先を図１１の処理に従ってマージして、メールを配信する。
【００２７】
図３は、システム管理情報処理部１０１の機能手段のうちこの発明に関連する部分を模式的に示すものであり、この図において、システム管理情報処理部１０１は、新規記事受付部１５１、登録先追加要求入力部１５２、移動要求入力部１５３、コピー要求入力部１５４、削除要求入力部１５５、新規記事リンク追加部１５６、既存記事リンク追加部１５７、既存記事コピー作成部１５８、既存記事リンク削除部１５９等を含んで構成されている。
【００２８】
新規記事受付部１５１は投稿記事を受け付けて、新規記事リンク追加部１５６を用いて新規記事を既存の記事または掲示板を親とする親子関係リンクを生成してリンク情報管理部１１０に追記書き込みする。新規記事受付部１５１は、また、記事情報管理部１１２（図２）に記事の属性、内容を追加書き込みする。
【００２９】
移動要求入力部１５３は、所定の記事、部分ツリー（記事および部分ツリーを、単に記事ということもある）を指定した移動要求を受け付け、既存記事リンク追加部１５７を用いて当該記事、部分ツリーが移動宛先の子になるよう親子関係リンクを生成してリンク情報管理部１１０に追加書き込みするとともに、元の親子関係リンクを既存記事リンク削除部１５９を用いてリンク情報管理部１１０から削除する（フラグ等により無効化してもよい）。この移動要求の操作例は後に図１３以降の図面を参照して説明する。コピー要求、登録先追加要求についても同様である。
【００３０】
コピー要求入力部１５４は、所定の記事、部分ツリーを指定したコピー要求を受け付け、既存記事コピー作成部１５８を用いて当該部分のコピーを作成して識別子を割り当てて記事情報管理部１１２に追加書き込みし、既存記事リンク追加部１５７を用いて当該記事、部分ツリーのコピーがコピー宛先にコピーされるように親子関係リンクを生成してリンク情報管理部１１０に追加書き込みする。
【００３１】
登録先追加要求入力部１５２は、所定の記事、部分ツリーの登録先を追加することを内容とする登録先追加要求を受け付け、既存記事リンク追加部１５７を用いて当該記事、部分ツリーを子とし登録先を親とする親子関係リンクをリンク情報管理部１１０に追加書き込みする。登録先追加の例を図９に示す。登録先の追加では親子関係リストが追加されるだけであり、当該記事、部分ツリーのコピーは作成されない。
【００３２】
削除要求入力部１５５は、所定の記事、部分ツリーを削除することを内容とする削除要求を受け付けて既存記事リンク削除部１５９を用いて該当する親子関係リンクをリンク情報管理部１１０から削除（無効化）する。ツリーの途中の記事を削除する場合には削除する親子関係リンクの直前と直後の親子関係リンクを結合しても良い。
【００３３】
つぎにこの実施例の動作を具体例を挙げながら説明する。
【００３４】
図４は記事移動要求の処理の例を示しており、図５は処理の態様を例示するものである。図５では、掲示板Ａの「×」以降の部分ツリーｔを掲示板Ｂの記事Ｎの後に移動させている。この処理によって、例えば、途中から話題がずれてしまったスレッドを分割することなどが可能となる。
【００３５】
具体的には、図１３（ａ）に示すような画面で記事のプロパティ表示ボタンをクリック操作して図１３（ｂ）に示すように記事のプロパティ（タイトル等）を表示させ、コマンドバーの移動ボタンをクリック操作して図１７の移動要求画面を表示させて移動内容を指定する。図１７の例では、子も移動させるかどうかも選択できる。
【００３６】
図４の記事移動要求の処理は以下のとおりである。
【００３７】
［ステップＳ１０］：対象記事を決定する。
［ステップＳ１１］：移動先を決定する。
［ステップＳ１２］：対象記事と移動先のリンクを追加する。
［ステップＳ１３］：対象記事と元の親記事（または掲示板）のリンクを削除する。
［ステップＳ１４］：対象記事と元の掲示板の間にメール配信先用リンクを追加する。
［ステップＳ１５］：対象記事に子記事があるか判別する。なければ処理を終了する。あればステップＳ１６へ進む。
［ステップＳ１６］：子記事も移動対象となっているか判別する。子記事も移動対象であれば処理を終了する。子記事は移動対象でなければステップＳ１７へ進む。
［ステップＳ１７］：対象記事の元の掲示板と、対象記事の子記事のリンクを追加する。対象記事の親記事と対象記事の子記事のリンクを追加しても良い。
［ステップＳ１８］：対象記事と子記事のリンクを削除する。
【００３８】
図６は、記事をコピーする場合の処理を示したものである。図７は、記事をスレッドの部分ツリー単位でコピーする場合の例である。この処理によって、元の掲示板はそのままにして、有用な記事だけを集めた掲示板を新たに作成することなどが可能となる。
【００３９】
具体的には、図１３（ａ）に示すような画面で記事のプロパティ表示ボタンをクリック操作して図１３（ｂ）に示すように記事のプロパティ（タイトル等）を表示させ、コマンドバーのコピーボタンをクリック操作して図１４のコピー要求画面を表示させてコピー内容を指定する。図１４の例でも、子もコピーするかどうかを選択できる。
【００４０】
図６のコピー要求の処理は以下のとおりである。
【００４１】
［ステップＳ２０］：対象記事を決定する。
［ステップＳ２１］：コピー先を決定する。
［ステップＳ２２］：対象記事のコピーとコピー先のリンクを追加する。
［ステップＳ２３］：対象記事に子記事があるか判別し、なければ処理を終了し、あればステップＳ２３へ進む。
［ステップＳ２４］：子記事もコピー対象範囲かどうか判別し、コピー対象でなければ処理を終了し、コピー対象であればステップＳ２４へ進む。
［ステップＳ２５］：対象記事をコピー先に代入し、対象記事のすべての子記事を対象記事に代入する。その後ステップＳ２０に戻り処理を繰り返す。
【００４２】
図８は、記事の登録場所の追加をする場合の処理を示したものである。図９は、記事の登録場所を追加する場合の例である。この処理によって、関係のある記事を他のスレッドから参照することなどが可能となる。
【００４３】
具体的には、図１３（ａ）に示すような画面で記事のプロパティ表示ボタンをクリック操作して図１３（ｂ）に示すように記事のプロパティ（タイトル等）を表示させ、コマンドバーの「登録場所を編集」ボタンをクリック操作して図１６の登録場所編集要求画面を表示させて登録場所編集内容を指定する。
【００４４】
図８の登録場所追加要求の処理は以下のとおりである。
【００４５】
［ステップＳ３０］：対象記事を決定する。
［ステップＳ３１］：登録場所追加先を決定する。
［ステップＳ３２］：対象記事と登録場所追加先のリンクを追加する。
【００４６】
図１０は、記事のアクセス権の追加・削除をする場合の処理を示したものである。この処理によって、途中から公開するのに適さなくなってしまったスレッドを部分的に公開することなどが可能となる。
【００４７】
具体的には、図１３（ａ）に示すような画面で記事のプロパティ表示ボタンをクリック操作して図１３（ｂ）に示すように記事のプロパティ（タイトル等）を表示させ、コマンドバーの「アクセス権を編集」ボタンをクリック操作して図１７のアクセス権編集要求画面を表示させてコピー内容を指定する。図１７の例でも、子もアクセス権編集対象にするかどうかを選択できる。
【００４８】
図１０のアクセス権の操作に対する処理は以下のとおりである。
【００４９】
［ステップＳ４０］：対象記事を決定する。
［ステップＳ４１］：対象記事にアクセス権を追加・削除する。
［ステップＳ４２］：対象記事に子記事があるかどうか判別し、なければ処理を終了し、あればステップＳ４３へ進む。
［ステップＳ４３］：子記事もアクセス権編集対象であるかどうかを判別し、編集対象でなければ処理を終了し、編集対象であればステップＳ４４へ進む。
［ステップＳ４４］：対象記事のすべての子記事を対象記事に代入し、その後ステップＳ４０に戻り処理を繰り返す。
【００５０】
図１１は、掲示板への記事の投稿をユーザーにメールで配信する場合の処理を示したものである。この処理によって、記事の移動があった場合でも、メールの配信先の設定を変更する手間を省くことが可能となる。
【００５１】
図１１の記事の配信処理は以下のとおりである。
【００５２】
［ステップＳ５０］：対象記事を決定する。
［ステップＳ５１］：メール配信先用のリンクがあるかどうか判別し、なければステップＳ５３へ進み、あればステップＳ５２へ進む。
［ステップＳ５２］：メール配信先用のリンクで結ばれた掲示板のメール配信先を、メール配信先のリストに追加する。ステップＳ５３へ進む。
［ステップＳ５３］：対象記事の親が記事か掲示板かを判別し、掲示板であればステップＳ５５へ進み、記事であればステップ５４へ進む。
［ステップＳ５４］：対象記事の親記事を対象記事に代入してステップＳ５０に戻り処理を繰り返す。
［ステップＳ５５］：掲示板のメール配信先を、メール配信先リストに追加する。
［ステップＳ５６］：メールは配信先リストのユーザーにメールを配信する。
【００５３】
以上で実施例の説明を終了する。なお、この発明は上述の実施例に限定されるものではなくその趣旨を逸脱しない範囲で種々変更が可能である。
【図面の簡単な説明】
【００５４】
【図１】電子掲示板システムの例を説明する図である。
【図２】この発明の実施例の電子掲示板システムの構成例を説明する図である。
【図３】上述実施例の要部の機能を模式的に示すブロック図である。
【図４】上述実施例の記事移動処理の例を説明するフローチャートである。
【図５】上述実施例の記事移動の態様を説明する図である。
【図６】上述実施例の記事コピー処理の例を説明するフローチャートである。
【図７】上述実施例の記事コピーの態様を説明する図である。
【図８】上述実施例の登録先追加処理の例を説明するフローチャートである。
【図９】上述実施例の登録先追加処理の態様を説明する図である。
【図１０】上述実施例のアクセス権編集処理の例を説明するフローチャートである。
【図１１】上述実施例の投稿記事配信処理の例を説明するフローチャートである。
【図１２】上述実施例で用いるリンクテーブルの例を説明する図である。
【図１３】上述実施例で種々の処理を選択する画面の例を説明する図である。
【図１４】上述実施例の記事コピー要求の画面の例を説明する図である。
【図１５】上述実施例の記事移動要求の画面の例を説明する図である。
【図１６】上述実施例の記事登録場所編集要求の画面の例を説明する図である。
【図１７】上述実施例の記事アクセス権編集要求の画面の例を説明する図である。
【符号の説明】
【００５５】
１０      電子掲示板システム
２０      クライアント端末
３０      通信ネットワーク
１０１      システム管理情報処理部
１０２      クライアント要求処理部
１０３      メール配信処理部
１１０      リンク情報管理部
１１１      掲示板情報管理部
１１２      記事情報管理部
１１３      添付文書情報管理部
１１４      グループ情報管理部
１１５      ユーザー情報管理部
１１６      アクセス権情報管理部
１５１      新規記事受付部
１５２      登録先追加要求入力部
１５３      移動要求入力部
１５４      コピー要求入力部
１５５      削除要求入力部
１５６      新規記事リンク追加部
１５７      既存記事リンク追加部
１５８      既存記事コピー作成部
１５９      既存記事リンク削除部
【図２】
2006024145.tif 000003
【図３】
2006024145.tif 000004
【図４】
2006024145.tif 000005
【図６】
2006024145.tif 000006
【図８】
2006024145.tif 000007
【図１０】
2006024145.tif 000008
【図１１】
2006024145.tif 000009
【図１３】
2006024145.tif 000010
【図１４】
2006024145.tif 000011
【図１５】
2006024145.tif 000012
【図１６】
2006024145.tif 000013
【図１７】
2006024145.tif 000014
【図１】
2006024145.tif 000015
【図５】
2006024145.tif 000016
【図７】
2006024145.tif 000017
【図９】
2006024145.tif 000018
【図１２】
2006024145.tif 000019